【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
通信して１つ以上の搬送サービス提供を搬送クライアントへの搬送サービスを実行するよう構成された少なくとも１つの車両を制御する少なくとも１つの代理人から確保するためのネットワークであって、該少なくとも１つの代理人は、該ネットワークと通信する代理人装置を有し、該ネットワークは、
前記ネットワークと通信する少なくとも１つの外部サーバであって、該ネットワークは、前記１つ以上の搬送サービス提供を前記少なくとも１つの代理人から受信するよう構成され、該少なくとも１つの外部サーバは、商品又はサービスを提供する企業と関連付けられており、該１つ以上の搬送サービス提供の実質リアルタイムのソースを備え、該１つ以上の搬送サービス提供は動的であり継続的に更新されるものである、少なくとも１つの外部サーバと、
前記ネットワークと通信する少なくとも１つの中央サーバであって、前記１つ以上の搬送サービス提供を前記少なくとも１つの外部サーバから実質リアルタイムで受信するよう構成され、地理的位置データ及び少なくとも１つの搬送クライアント選好の１つまたは組み合わせを入力できるよう構成された少なくとも１つのアプリケーションが関連付けられている、少なくとも１つの中央サーバと、
前記ネットワークと通信し、前記少なくとも１つのアプリケーションと相互作用し、前記搬送クライアントに関連する前記地理的位置データを前記少なくとも１つの中央サーバに提供するよう構成され、表示装置及び入力装置を備える少なくとも１つの端末と、
を含み、
前記少なくとも１つの中央サーバは、前記１つ以上の搬送サービス提供、前記地理的位置データ、及び前記少なくとも１つの搬送クライアント選好の少なくとも１つの特徴に対応する搬送データを含む前記１つ以上の搬送サービス提供を処理するよう構成され、更に、
前記１つ以上の搬送サービス提供の標準化及び集約の１つ以上を実行し、
前記少なくとも１つの搬送クライアント選好と、地理的位置データとを使用することによって、１つ以上の搬送サービス提供をフィルタリングして、フィルタリングされた搬送サービス提供のサブセットを識別し、
前記少なくとも１つの搬送クライアント選好に基づいて、前記フィルタリングされた搬送サービス提供のサブセットから、前記１つ以上の好ましい搬送サービス提供を識別するよう構成され、
前記少なくとも１つのアプリケーションは、更に、
少なくとも１つの地理的マップ及び、前記フィルタリングされた搬送サービス提供のサブセット、前記１つ以上の好ましい搬送サービス提供、及び前記少なくとも１つの搬送クライアント選好の１つ又は組み合わせに関連付けられた１つ以上の選択可能な提供オプションを含む、少なくとも１つの視覚的表現を生成し、該少なくとも１つの視覚的表現は、前記少なくとも１つの端末に表示されるものであり、前記１つ以上の選択可能な提供オプションの更新結果を表示するために実質リアルタイムで更新される動的マップを含み、
前記搬送クライアントによる前記少なくとも１つの端末を介したエントリーに応じて、前記１つ以上の選択可能な提供オプションを確保するよう構成された、
ネットワーク。
【請求項２】
前記１つ以上の搬送サービス提供及び前記搬送クライアントに関連する前記地理的位置データからなるグループの少なくとも１つが、少なくとも１つの異なるフォーマットで構造化され、
前記少なくとも１つの中央サーバは、更に、前記グループの少なくとも１つを少なくとも１つの一様なフォーマットに標準化または変換するよう構成されている、
請求項１に記載のネットワーク。
【請求項３】
前記少なくとも１つのアプリケーションが、前記少なくとも１つの中央サーバ上で動作する、
請求項１に記載のネットワーク。
【請求項４】
前記１つ以上の搬送サービス提供の全部または一部及び前記地理的位置データが、少なくとも１つの外部サーバによって供給または提供される、
請求項１に記載のネットワーク。
【請求項５】
前記１つ以上の搬送サービス提供の全部または一部が、ライドヘイルサービス、ライドシェアサービス、カーシェアサービス、ピアツーピア搬送サービス、輸送サービス、人物配達サービス、タクシーサービス、シャトルサービス、商品配達サービス、アイテム配達サービス、医療サービスおよび配達、食品配達サービス、宅配便配達サービス、貨物配達サービス、動物配達サービス、及び配達サービスからなる提供グループの少なくとも１つを含む、
請求項１に記載のネットワーク。
【請求項６】
搬送データが、サービス開始地理的位置、サービス終了地理的位置、価格設定情報、搬送クライアント選好、距離パラメータ、推定到着時間、目的地までの時間、搬送クライアント地理的位置、搬送クライアント評価、搬送クライアント格付け、搬送クライアント詳細、搬送サービス詳細、搬送サービスルート、好ましい代理人、センサデータ、代理人地理的位置、代理人評価、代理人格付け、代理人詳細、自律車両地理的位置、自律車両評価、自律車両格付け、自律車両詳細、好ましい自律車両、ルート計画選好、燃費選好、バッテリ寿命選好、車両容量選好、車両診断選好、搬送データ選好、サービスプロバイダ地理的位置、サービスプロバイダ評価、サービスプロバイダ格付け、サービスプロバイダ詳細、好ましいサービスプロバイダ、商品サプライヤ地理的位置、商品サプライヤ評価、商品サプライヤ格付け、商品サプライヤ詳細、好ましい商品サプライヤ、フリートマネージャ地理的位置、フリートマネージャ評価、フリートマネージャ格付け、フリートマネージャ詳細、好ましいフリートマネージャ、ロジスティクスプロバイダ地理的位置、ロジスティクスプロバイダ評価、ロジスティクスプロバイダ格付け、ロジスティクスプロバイダ詳細、好ましいロジスティクスプロバイダ、ロジスティクスサプライヤ地理的位置、ロジスティクスサプライヤ評価、ロジスティクスサプライヤ格付け、ロジスティクスサプライヤ詳細、好ましいロジスティクスサプライヤ、搬送業界セグメント詳細、好ましい搬送業界セグメント、商品詳細、アイテム詳細、タイプの車両詳細、車両詳細、統計変数の測定値、サービスレベル詳細、燃料消費、バッテリレベル、車両診断、及び車両容量からなるグループの少なくとも１つを含む、
請求項１に記載のネットワーク。
【請求項７】
前記１つ以上の搬送サービス提供の全部または一部が、前記少なくとも１つの搬送クライアント選好および前記地理的位置データに関してフィルタリングされ、前記フィルタリングされた搬送サービス提供のサブセットの全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、及び比較の少なくとも１つのプロセスによって識別される、
請求項１に記載のネットワーク。
【請求項８】
前記１つ以上の好ましい搬送サービス提供が、前記少なくとも１つの搬送クライアント選好の少なくとも１つの加重平均を用いて、前記フィルタリングされた搬送サービス提供のサブセットから識別される、
請求項７に記載のネットワーク。
【請求項９】
前記搬送サービス提供の全部または一部をフィルタリングする際に、前記搬送クライアントの地理的位置以外の少なくとも１つの異なる地理的位置が使用される、
請求項８に記載のネットワーク。
【請求項１０】
前記少なくとも１つの搬送クライアント選好が、価格設定、地理的位置、距離、ルート、サービス所要時間、サービス開始地理的位置、サービス終了地理的位置、時間、予測、過去、効率、センサ、イベント、交通量基準、道路条件、気象条件、輸送、ルート計画、燃費、バッテリ寿命、車両容量、車両診断、搬送データ、搬送サービス所要時間、搬送サービス提供密度、搬送クライアント密度、搬送クライアント詳細、搬送クライアント格付け、少なくとも１つの代理人密度、少なくとも１つの自律車両密度、サービスプロバイダ、サービスプロバイダ密度、サービスレベル、商品サプライヤ、商品サプライヤ密度、少なくとも１つの自律車両のオーナまたはコントローラ、少なくとも１つの自律車両密度のオーナまたはコントローラ、フリートマネージャ、フリートマネージャ密度、ロジスティクスプロバイダ、ロジスティクスプロバイダ密度、ロジスティクスサプライヤ、ロジスティクスサプライヤ密度、商品詳細、搬送業界セグメント、貨物、ウェイポイント、配達サービス、及び最古未解決提供からなるグループから選択された１つ以上の選好を含む、
請求項１に記載のネットワーク。
【請求項１１】
前記少なくとも１つの視覚的表現が、動的マップ及びヒートマップの１つ以上を含む、
請求項１に記載のネットワーク。
【請求項１２】
前記搬送クライアントが、前記少なくとも１つの視覚的表現を利用して、前記１つ以上の好ましい搬送サービス提供を実質リアルタイムで確保する、
請求項１１に記載のネットワーク。
【請求項１３】
前記１つ以上の搬送クライアント選好を、少なくとも１つのアイコンまたはビジュアルとして、前記少なくとも１つの視覚的表現内に表示する、
請求項１１に記載のネットワーク。
【請求項１４】
前記１つ以上の好ましい搬送サービス提供及び前記１つ以上の搬送クライアント選好の１つまたは組合せが、前記企業に関連する前記フィルタリングされた搬送サービス提供のサブセットと比較して視覚的に識別可能な少なくとも１つのフォーマットで表示される、
請求項１１に記載のネットワーク。
【請求項１５】
前記動的マップが、実質リアルタイムで、前記フィルタリングされた搬送サービス提供のサブセットの全部または一部、前記１つ以上の好ましい搬送サービス提供、及び前記少なくとも１つの搬送クライアント選好を表示する地理的マップを含む、
請求項１１に記載のネットワーク。
【請求項１６】
前記ヒートマップが、
前記１つ以上の搬送サービス提供、
前記フィルタリングされた搬送サービス提供のサブセット、
前記１つ以上の好ましい搬送サービス提供、及び
前記少なくとも１つの搬送クライアント選好
に対応する少なくとも１つの統計変数の少なくとも１つの視覚的描写を表示する地理的マップを含む、
請求項１１に記載のネットワーク。
【請求項１７】
前記少なくとも１つの統計変数が、搬送サービスの利用可能性、価格設定、高価格設定、搬送サービス提供密度、フィルタリングされた搬送サービス提供密度、好ましい搬送サービス提供密度、好ましい商品サプライヤ密度、少なくとも１つの好ましい搬送業界セグメント、搬送業界セグメント密度、サービスレベル密度、少なくとも１つの搬送サービス距離、少なくとも１つの推定到着時間、好ましい代理人密度、代理人密度、搬送クライアント密度、サービスプロバイダ密度、及び商品サプライヤ密度の少なくとも１つの測定値を含む、
請求項１６に記載のネットワーク。
【請求項１８】
前記ヒートマップの少なくとも１つのエリアが、前記少なくとも１つの統計変数の測定値に比例して区別され、色相、色調、飽和度、不透明度、色、パターン、ハッチング、形状、画像、アニメーションから選択された区別可能な視覚的特徴の１つ又は組み合わせを有するものとして表示される、
請求項１７に記載のネットワーク。
【請求項１９】
前記ヒートマップは、実質リアルタイムのヒートマップ、履歴ヒートマップ、及び予測ヒートマップの１つ以上である、
請求項１７に記載のネットワーク。
【請求項２０】
１つ以上の搬送サービス提供の確保において搬送クライアントを支援する方法であって、
前記少なくとも１つの中央サーバにおいて、
（ｉ）商品又はサービスを提供する企業と関連付けられ且つ前記１つ以上の搬送サービス提供の実質リアルタイムのソースを備える少なくとも１つの外部サーバからの、動的且つ継続的に更新される該１つ以上の搬送サービス提供であって、該1つ以上の搬送サービス提供の少なくとも１つの特徴に対応する搬送データを含む、少なくとも１つの第１地理的位置から少なくとも１つの第２地理的位置への該1つ以上の搬送サービス提供、
（ｉｉ）表示装置及び入力装置を有する少なくとも１つの端末において、少なくとも１つのアプリケーションを介して入力された少なくとも１つの搬送クライアント選好、及び
（ｉｉｉ）地理的位置データ
を順不同で実質リアルタイムで受信するステップと、
前記1つ以上の搬送サービス提供を標準化及び集約するステップと、
前記少なくとも１つの搬送クライアント選好および前記搬送クライアントに対応する地理的位置データを使用して前記１つ以上の搬送サービス提供をフィルタリングし、フィルタリングされた搬送サービス提供のサブセットを識別するステップと、
前記少なくとも１つの搬送クライアント選好に基づいて前記１つ以上の好ましい搬送サービス提供を識別するステップと、
少なくとも１つの地理的マップ、及び、前記フィルタリングされた搬送サービス提供のサブセット、前記１つ以上の好ましい搬送サービス提供及び前記少なくとも１つの搬送クライアント選好の１つまたは組み合わせに関連する１つ以上の選択可能な提供オプションを含む少なくとも１つの視覚的表現を生成するステップであって、該少なくとも１つの視覚的表現は前記少なくとも１つの端末に表示され、該１つ以上の選択可能な提供オプションの更新結果を表示するために実質リアルタイムで更新される動的マップを含む、ステップと、
前記少なくとも１つの端末を介した前記搬送クライアントによる入力に応じて前記１つ以上の選択可能な提供オプションを確保するステップと、
を含む、
方法。
【請求項２１】
前記１つ以上の搬送サービス提供の全部または一部及び地理的位置データが、少なくとも１つの異なるフォーマットで構造化され、少なくとも１つの一様なフォーマットに標準化または変換される、
請求項２０に記載の方法。
【請求項２２】
前記フィルタリングされた搬送サービス提供のサブセットを識別するためのフィルタリングが、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、及び比較の少なくとも１つのプロセスを用いることを含む、
請求項２０に記載の方法。
【請求項２３】
前記1つ以上の搬送サービス提供をフィルタリングする際に、前記搬送クライアントの地理的位置データ以外の少なくとも１つの異なる地理的位置が使用される、
請求項２２に記載の方法。
【請求項２４】
前記１つ以上の好ましい搬送サービス提供が、前記少なくとも１つの搬送クライアント選好の少なくとも１つの加重平均を用いて、前記フィルタリングされた搬送サービス提供のサブセットから識別される、
請求項２０に記載の方法。
【請求項２５】
前記少なくとも１つの視覚的表現が、動的マップ及びヒートマップの１つ以上を含む、
請求項２０に記載の方法。
【請求項２６】
前記搬送クライアントが、前記少なくとも１つの視覚的表現を利用して、前記１つ以上の好ましい搬送サービス提供を実質リアルタイムで確保する、
請求項２５に記載の方法。
【請求項２７】
前記１つ以上の好ましい搬送サービス提供及び前記少なくとも１つの搬送クライアント選好の１つ又は組合せが、前記フィルタリングされた搬送サービス提供のサブセットと比較して視覚的に識別可能な少なくとも１つのフォーマットで表示される、
請求項２５に記載の方法。
【請求項２８】
前記ヒートマップが、
前記1つ以上の搬送サービス提供、
前記フィルタリングされた搬送サービス提供のサブセットの全部または一部、
前記１つ以上の好ましい搬送サービス提供、及び
前記１つ以上の搬送クライアント選好
に対応する少なくとも１つの統計変数の少なくとも１つの視覚的描写を表示する地理的マップを含む、
請求項２５に記載の方法。
【請求項２９】
前記ヒートマップは、実質リアルタイムのヒートマップ、履歴ヒートマップ、及び予測ヒートマップの１つ以上である、
請求項２５に記載の方法。